(57)【要約】【課題】カメラやレンズ等を収納して持ち運ぶことができると共に、収納した状態でカメラの電池を充電することができる太陽電池パネルを備え、さらに、前記太陽電池パネルの受光面を保護することができるカメラケースを提供すること。【解決手段】収納したカメラＢの電池を充電するために太陽電池パネル３を配設したカメラケースＡであって、前記太陽電池パネル３は、受光面3aを外方へ露出する使用時姿勢と、受光面3aをケース壁に対面させる不使用時姿勢とに姿勢変更可能に配設した。【選択図】図１
2005025108.tif 000002
【特許請求の範囲】
【請求項１】
収納したカメラの電池を充電するために太陽電池パネルを配設したカメラケースであって、
前記太陽電池パネルは、受光面を外方へ露出する使用時姿勢と、受光面をケース壁に対面させる不使用時姿勢とに姿勢変更可能に配設したことを特徴とするカメラケース。
【請求項２】
前記太陽電池パネルは、前記ケース壁の一部に枢軸を中心として開閉自在なパネル収納用蓋体を形成して、同パネル収納用蓋体の先端部に回動自在に取り付けたことを特徴とする請求項１記載のカメラケース。
【請求項３】
前記太陽電池パネルは、ケース壁に回動自在に配設したことを特徴とする請求項１記載のカメラケース。
【請求項４】
前記太陽電池パネルは、ケース壁に支持体の基端部を回動自在に配設して、同支持体の先端部に変位自在に配設したことを特徴とする請求項１記載のカメラケース。
【請求項５】
カメラを収納するためのケース本体と、同ケース本体に開閉自在に配設したカメラ収納用蓋体とを設けて、同カメラ収納用蓋体の内部にパーソナルコンピュータを収納したことを特徴とする請求項１〜４のいずれか１項に記載のカメラケース。
【請求項６】
カメラを収納するためのケース本体と、同ケース本体に枢軸を中心として開閉自在に配設したカメラ収納用蓋体とを設けて、同カメラ収納用蓋体の内部にパーソナルコンピュータを収納すると共に、同カメラ収納用蓋体の一部に前記パネル収納用蓋体を形成して、パネル収納用蓋体の内側面にパーソナルコンピュータのディスプレイを配設したことを特徴とする請求項２記載のカメラケース。
【発明の詳細な説明】
【技術分野】
【０００１】
本発明は、太陽電池を配設したカメラケースに関するものである。
【背景技術】
【０００２】
従来、予備の電池を携帯していないときにカメラの電池が切れると、それ以上カメラを使用できなくなって困っていた。特に、屋外でカメラを使用していた場合には、近隣に電源を取れる施設や交換用の電池を調達できる施設がない可能性が高く、新たな電池を直ぐに補充するのが難しいことが多かった。
【０００３】
そこで、カメラを収納して持ち運ぶためのカメラケースに太陽電池を取り付けて、カメラの電池が切れたとしても同電池を充電できるようにすることが考えられる。このように、太陽電池を取り付けたカメラケースとしては、充電器としてのカメラケースが知られている（例えば、特許文献１及び２参照。）。
【０００４】
上記充電器としてのカメラケースは、充電を行う目的でカメラを収納するものであり、太陽電池は、太陽光を感受可能な受光面を外方に向けた状態でケース壁の外側面に貼設されていた。
【特許文献１】特開平９−３６４０９号公報
【特許文献２】特開平８−３１３９９１号公報
【発明の開示】
【発明が解決しようとする課題】
【０００５】
しかし、上記充電器としてのカメラケースは、受光面を外方に向けた状態で太陽電池がケース壁に貼設されているので、太陽電池パネルの受光面が常に外方に露出した状態となっており、同受光面が摩耗したり損傷したりし易かった。
【０００６】
しかも、上記充電器としてのカメラケースの場合は、安定した場所に常設したり、或いは充電器として使用しないときには別の保護ケース等に収納したりして、受光面が損傷しにくい環境を作ることも可能であるが、カメラを収納して持ち運ぶことを目的としたカメラケースに太陽電池を取り付ける場合は、受光面を外方に向けた状態でカメラケースに太陽電池を貼設すると、カメラケースを持ち運んでいるときなどに受光面に物がぶつかったりする可能性が高く、受光面が摩耗したり損傷したりする可能性が高いことが予測される。
【０００７】
さらに、カメラを収納して持ち運ぶことを目的としたカメラケースの場合には、受光面を外方に向けた状態で太陽電池を貼設すると、太陽電池が目立ちすぎてしまい、見た目も悪くなるおそれがある。
【課題を解決するための手段】
【０００８】
そこで、本発明では、収納したカメラの電池を充電するために太陽電池パネルを配設したカメラケースであって、前記太陽電池パネルは、受光面を外方へ露出する使用時姿勢と、受光面をケース壁に対面させる不使用時姿勢とに姿勢変更可能に配設した。
【０００９】
また、本発明は、以下の点にも特徴を有するものである。
（１）前記太陽電池パネルは、前記ケース壁の一部に枢軸を中心として開閉自在なパネル収納用蓋体を形成して、同パネル収納用蓋体の先端部に回動自在に取り付けたこと。
（２）前記太陽電池パネルは、ケース壁に回動自在に配設したこと。
（３）前記太陽電池パネルは、ケース壁に支持体の基端部を回動自在に配設して、同支持体の先端部に変位自在に配設したこと。
（４）カメラを収納するためのケース本体と、同ケース本体に開閉自在に配設したカメラ収納用蓋体とを設けて、同カメラ収納用蓋体の内部にパーソナルコンピュータを収納したこと。
（５）カメラを収納するためのケース本体と、同ケース本体に枢軸を中心として開閉自在に配設したカメラ収納用蓋体とを設けて、同カメラ収納用蓋体の内部にパーソナルコンピュータを収納すると共に、同カメラ収納用蓋体の一部に前記パネル収納用蓋体を形成して、パネル収納用蓋体の内側面にパーソナルコンピュータのディスプレイを配設したこと。
【発明の効果】
【００１０】
本発明は、以上に説明したような形態で実施され、以下に記載されるような効果を奏する。
（１）請求項１記載の本発明では、太陽電池パネルは、受光面を外方へ露出する使用時姿勢と、受光面をケース壁に対面させる不使用時姿勢とに姿勢変更可能に配設したので、太陽電池パネルを使用しないときには同太陽電池パネルの受光面をケース壁に対面させて露出を防ぐことができ、受光面の摩耗や損傷を防ぐことができる。しかも、太陽電池パネルは、ケース壁に取り付けていながら不使用時には目立たないので、外観の良好なカメラケースとすることができる。
（２）請求項２記載の本発明では、前記太陽電池パネルは、前記ケース壁の一部に枢軸を中心として開閉自在なパネル収納用蓋体を形成して、同パネル収納用蓋体の先端部に回動自在に取り付けたので、太陽電池パネルをカメラケースの内部空間に収納することができ、太陽電池パネルを確実に保護することができる。しかも、カメラケースの内部空間に太陽電池パネルを収納していながら、同太陽電池パネルの受光面を簡単な操作で露出させることができるので、充電を行う際には直ぐに充電を開始することができる。
（３）請求項３記載の本発明では、前記太陽電池パネルは、ケース壁に回動自在に配設したので、カメラケースの内部空間を狭めることなく太陽電池パネルを配設することができ、カメラの収納ケースとしての機能を阻害することなく、電池の充電機能を付加することができる。しかも、簡単な操作で太陽電池パネルの受光面を露出させることができるので、充電を行う際には直ぐに充電を開始することができる。
（４）請求項４記載の本発明では、前記太陽電池パネルは、ケース壁に支持体の基端部を回動自在に配設して、同支持体の先端部に変位自在に配設したので、カメラケースの内部空間を狭めることなく太陽電池パネルを配設することができ、カメラの収納ケースとしての機能を阻害することなく、電池の充電機能を付加することができる。しかも、支持体によって太陽電池パネルをカメラケースから持ち上げることができるので、太陽電池パネルの位置を適宜調節して、効率よく太陽光を感受することができる。
（５）請求項５記載の本発明では、カメラを収納するためのケース本体と、同ケース本体に開閉自在に配設したカメラ収納用蓋体とを設けて、同カメラ収納用蓋体の内部にパーソナルコンピュータを収納したので、カメラを収納するための空間を確保しながらもパーソナルコンピュータをカメラケースの内部に収納することができ、カメラとパーソナルコンピュータとを同一のカメラケース内にコンパクトに収納して持ち運ぶことができる。しかも、そのようにしてカメラとパーソナルコンピュータとを同時に持ち運ぶことが可能なので、カメラで撮影した映像をその場で直ぐに編集することも可能である。
（６）請求項６記載の本発明では、カメラを収納するためのケース本体と、同ケース本体に枢軸を中心として開閉自在に配設したカメラ収納用蓋体とを設けて、同カメラ収納用蓋体の内部にパーソナルコンピュータを収納すると共に、同カメラ収納用蓋体の一部に前記パネル収納用蓋体を形成して、パネル収納用蓋体の内側面にパーソナルコンピュータのディスプレイを配設したので、カメラを収納するための空間を確保しながらもパーソナルコンピュータをカメラケースの内部に収納することができ、カメラとパーソナルコンピュータとを同一のカメラケース内にコンパクトに収納して持ち運ぶことができる。しかも、そのようにしてカメラとパーソナルコンピュータとを同時に持ち運ぶことが可能なので、カメラで撮影した映像をその場で直ぐに編集することも可能である。さらに、パネル収納用蓋体の内側面をディスプレイの配置場所として利用したので、カメラ収納用蓋体を薄く形成することができ、カメラケースをコンパクト化することができる。
【発明を実施するための最良の形態】
【００１１】
本発明に係るカメラケースは、内部にカメラやレンズを収納して持ち運ぶためのカメラケースであり、前記カメラを充電するために太陽電池パネルを配設している。
【００１２】
特に、太陽電池パネルは、受光面を外方へ露出する使用時姿勢と、受光面をケース壁に対面させる不使用時姿勢とに姿勢変更可能に配設している。
【００１３】
従って、単に太陽電池パネルでカメラの電池を充電できるだけでなく、太陽電池パネルを使用しないときには同太陽電池パネルの受光面をケース壁に対面させて露出を防ぐことができ、受光面の摩耗や損傷を防ぐことができる。しかも、太陽電池パネルを使用しないときには、ケース壁に取り付けた太陽電池パネルが目立たないので、外観の良好なカメラケースとすることができる。
【００１４】
なお、カメラケースのケース壁は、例えば、アルミ製やジュラルミン等のアルミ合金製とすることができる。
【００１５】
上述の如く太陽電池パネルを姿勢変更可能に配設した構成としては、例えば以下に示す３つの例が考えられる。
【００１６】
１番目は、前記ケース壁の一部に枢軸を中心として開閉自在なパネル収納用蓋体を形成して、同パネル収納用蓋体の先端部に前記太陽電池パネルを回動自在に取り付けた構成であり、不使用時姿勢において、太陽電池パネルの受光面はパネル収納用蓋体の内側面と対面する。
【００１７】
かかる構成とすれば、太陽電池パネルをカメラケースの内部空間に収納することができ、太陽電池パネルを確実に保護することができる。しかも、カメラケースの内部空間に太陽電池パネルを収納していながら、同太陽電池パネルの受光面を簡単な操作で露出させることができるので、充電を行う際には直ぐに充電を開始することができる。
【００１８】
２番目は、前記太陽電池パネルをケース壁の端部に回動自在に取り付けた構成であり、不使用時姿勢において、太陽電池パネルの受光面は、ケース壁の外側面と対面する。
【００１９】
かかる構成とすれば、カメラケースの内部空間を狭めることなく太陽電池パネルを配設することができ、カメラを収納するケースとしての機能を阻害することなく、電池の充電機能を付加することができる。しかも、簡単な操作で太陽電池パネルの受光面を露出させることができるので、充電を行う際には直ぐに充電を開始することができる。
【００２０】
３番目は、ケース壁に支持体の基端部を回動自在に配設して、同支持体の先端部に前記太陽電池パネルを変位自在に配設した構成であり、不使用時姿勢において、太陽電池パネルの受光面はケース壁の外側面と対面する。
【００２１】
かかる構成とすれば、カメラケースの内部空間を狭めることなく太陽電池パネルを配設することができ、カメラを収納するケースとしての機能を阻害することなく、電池の充電機能を付加することができる。しかも、支持体によって太陽電池パネルをカメラケースから持ち上げることができるので、太陽電池パネルの位置を適宜調節して、より効率よく太陽光を感受することができる。
【００２２】
上記カメラケースには、上述した如く太陽電池パネルを配設するのみならずパーソナルコンピュータを配設することもでき、例えば、カメラを収納するためのケース本体と、同ケース本体に開閉自在に配設したカメラ収納用蓋体とをカメラケースに設けて、同カメラ収納用蓋体の内部にパーソナルコンピュータを収納することができる。
【００２３】
かかる構成とすれば、カメラを収納するための空間を確保しながらもパーソナルコンピュータをカメラケースの内部に収納することができ、カメラとパーソナルコンピュータとを同一のカメラケース内にコンパクトに収納して持ち運ぶことができる。しかも、そのようにしてカメラとパーソナルコンピュータとを同時に持ち運ぶことが可能なので、カメラで撮影した映像をその場で直ぐに編集することも可能である。さらに、パーソナルコンピュータには、太陽電池パネルから電力を供給することができるので、屋外等の周囲に電源がない場所においてもパーソナルコンピュータを長時間使用することができる。
【００２４】
また、太陽電池パネルを姿勢変更可能に配設する１番目の構成として前述したパネル収納用蓋体を設けたカメラケースに対してパーソナルコンピュータを配設する場合には、パネル収納用蓋体を前記カメラ収納用蓋体の一部に形成して、パネル収納用蓋体の内側面にパーソナルコンピュータのディスプレイを配設するとよい。
【００２５】
かかる構成とすれば、パネル収納用蓋体の内側面をディスプレイの配置場所として利用しているので、カメラ収納用蓋体を薄く形成することができ、カメラケースをコンパクト化することができる。
【００２６】
以下に、本発明に係るカメラケースの具体的な実施形態について図面を参照しながら説明する。
【００２７】
（実施形態１）
図１〜図３には、実施形態１としてのカメラケースA1を示しており、図示するように、本実施形態におけるカメラケースA1は、カメラＢを収納するためのジュラルミン製のケース本体１と、同ケース本体１に開閉自在に配設したジュラルミン製のカメラ収納用蓋体２とから略矩形箱形に形成しており、前記カメラ収納用蓋体２の内部に太陽電池パネル３とパーソナルコンピュータ４とを収納している。
【００２８】
ケース本体１は、矩形板状の底壁５と、同底壁５の４辺にそれぞれ立設した矩形板状の本体前後壁６,７及び本体左右壁８,９とから上方開口の略矩形箱形に形成している。
【００２９】
しかも、ケース本体１の内部である本体後壁７の内側面には、カメラＢの電力入力端子b1と電気的に接続して、太陽電池パネル３から供給される電力をカメラＢの内部電池b2に充電する充電用ソケット10を取り付けている。
【００３０】
なお、上記カメラＢのための充電用ソケット10のほかにも、携帯電話等の他の電気製品に対応した充電用ソケットをケース本体１に取り付けることもできる。かかる構成とすれば、カメラＢのみならず各種電気製品を太陽電池パネル３により充電することができる。
【００３１】
カメラ収納用蓋体２は、矩形板状の天壁11と、同天壁11の４辺にそれぞれ垂設した矩形板状の蓋体前後壁12,13及び蓋体左右壁14,15とから下方開口の略矩形箱形に形成しており、前記ケース本体１の本体後壁７の上端部に枢軸16を中心として開閉自在に取り付けている。また、天壁11の中央には持ち手17を取り付けている。
【００３２】
上記カメラ収納用蓋体２の上部は、蓋体後壁13に配設した枢軸18を中心として開閉自在なパネル収納用蓋体19となっており、同パネル収納用蓋体19の内側面には、パーソナルコンピュータ４のディスプレイ20を貼設している。
【００３３】
しかも、パネル収納用蓋体19の先端部には、略矩形板状に形成した太陽電池パネル３の基端部を枢軸21を介して回動自在に取り付けており、太陽電池パネル３がパネル収納用蓋体19の内・外側両面と対面可能となるように構成している。
【００３４】
特に、本実施形態では、太陽電池パネル３を矩形板状のパネル本体22と、同パネル本体22の基端中央部をパネル本体22と同一平面上となるように伸延させて形成したパネル支持体23とから形成し、しかも、前記パネル支持体23を嵌合するための支持凹部24を前記パネル収納用蓋体19の先端中央部に形成して、支持凹部24間においてパネル支持体23を前記枢軸21により枢支するようにしている。また、前記支持凹部24の奥面24aは、前低後高の前下がり傾斜状に形成している。
【００３５】
従って、太陽電池パネル３をパネル収納用蓋体19の外側面と対面する方向に回動させると、パネル支持体23が支持凹部24の傾斜状の奥面24aに当接して、太陽電池パネル３が支持凹部24の奥面24aの傾斜角度と同一の傾斜角度で係止されることとなる。
【００３６】
また、上記太陽電池パネル３は、表裏面の一方側が太陽電池を配設した受光面3aとなっており、太陽電池パネル３をパネル収納用蓋体19に取り付ける際には、前記受光面3aがパネル収納用蓋体19の内側面と対面可能となる向きに取り付けている。
【００３７】
カメラ収納用蓋体２の上下幅の中間部には、同カメラ収納用蓋体２の内部空間S1を前記パネル収納用蓋体19を設けた上部側と、前記ケース本体１の内部空間S2に連続する下部側とに区切る矩形板状の仕切壁25を取り付けており、同仕切壁25より上部側の空間S1aにパーソナルコンピュータ４を収納している。
【００３８】
上記パーソナルコンピュータ４は、前述した如くディスプレイ20をパネル収納用蓋体19の内側面に貼設しており、サーバやキーボードを含むコンピュータ本体26は、仕切壁25上に載設している。
【００３９】
特に、パネル収納用蓋体19の内側面をディスプレイ20の取付場所として利用しているので、カメラ収納用蓋体２を薄く形成することができ、パーソナルコンピュータ４を内蔵していてもコンパクトなカメラケースA1とすることができる。
【００４０】
また、本実施形態では、コンピュータ本体26の一部に、後述するバッテリー27の電池収容部28とコンセント29とを設けている。図中、30はカメラＢの情報出力端子（図示せず）と電気的に接続可能なパーソナルコンピュータ４の情報入力端子である。
【００４１】
一方、ケース本体１の内部空間S2と連続する仕切壁25よりも下部側の空間S1bには、バッテリー本体31を収納している。
【００４２】
本実施形態では、バッテリー27は、前記コンピュータ本体26の一部に設けた電池収容部28に着脱自在に収容して充電を行う蓄電量の小さいバッテリー電池32と、仕切壁25よりも下部側に収納した蓄電量の大きいバッテリー本体31との両方に蓄電する構成としている。
【００４３】
しかも、バッテリー27は、接続コード33を介して前記太陽電池パネル３及び充電用ソケット10及びパーソナルコンピュータ４と電気的に接続しており、太陽電池パネル３から供給された電力を蓄電すると共に、カメラＢが前記充電用ソケット10に挿入された場合には、カメラＢの内部電池b2を充電すべく同内部電池b2に電力を供給し、パーソナルコンピュータ４が使用された際には、同パーソナルコンピュータ４に電力を供給する。
【００４４】
なお、上記バッテリー本体31は、カメラ収納用蓋体２の下端開口部に取り付けた開閉自在な内蓋体34により支持している。また、内蓋体34の下面には、ケース本体１の内部空間S2に収納したカメラＢやレンズb3を保護するための発泡ウレタン等の緩衝材35を貼設している。図中、36はパネル収納用蓋体19の留め具、37はカメラ収納用蓋体２の留め具である。
【００４５】
上記構成からなる本カメラケースA1において、太陽電池パネル３は、図１の実線で示すように、通常、受光面3aがケース壁であるパネル収納用蓋体19の内側面に対面した不使用時姿勢でカメラ収納用蓋体２の内部に収納されており、受光面3aが外方に露出しないようになっている。
【００４６】
従って、カメラ収納用蓋体２の内部で太陽電池パネル３を確実に保護することができ、太陽電池パネル３の不使用時に同太陽電池パネル３の受光面3aが磨耗したり損傷したりするのを防止することができる。
【００４７】
しかも、太陽電池パネル３をカメラ収納用蓋体２の内部に収納して目立たないようにすることができるので、カメラケースA1の外観を良好なものとすることができる。
【００４８】
さらに、太陽電池パネル３やパーソナルコンピュータ４をカメラ収納用蓋体２の内部に収納して、ケース本体１の内部をカメラＢやレンズb3を収納するための空間S2として確保しているので、本カメラケースA1をカメラＢやレンズb3を収納する収納ケースとして円滑に使用することができる。
【００４９】
また、バッテリー27の充電を行う際には、図１の一点鎖線や図２や図３に示すように、パネル収納用蓋体19を開放して太陽電池パネル３をカメラ収納用蓋体２の内部から外部へと引き出すと共に、太陽電池パネル３のパネル支持体23をパネル収納用蓋体19の支持凹部24の奥面24aに当接させて、天壁11に対して所定の傾斜角度で太陽電池パネル３を係止し、太陽電池パネル３の姿勢を、受光面3aがケース壁に対面した不使用時姿勢から、受光面3aが外方に露出した使用時姿勢へと変更する。そして、受光面3aで感受した太陽光エネルギーをバッテリー本体31及びバッテリー電池32に蓄電する。
【００５０】
特に、本実施形態では、太陽電池パネル３をケース壁であるパネル収納用蓋体19の先端部に回動自在に取り付けたので、カメラ収納用蓋体２の内部に収納した太陽電池パネル３を簡単に外部へ引き出すことができ、太陽電池パネル３を不使用時姿勢から使用時姿勢へと簡単に姿勢変更することができる。そのため、充電を直ぐに開始することができる。
【００５１】
なお、充電時には、パネル収納用蓋体19は、図２及び図３に示すように開放したままでもよいし、図１に示すように閉じた状態として、太陽電池パネル３のみを外方に露出させてもよい。
【００５２】
そして、カメラＢの内部電池b2を充電するときには、ケース本体１の内部に配設した充電用ソケット10にカメラＢを挿入することにより、同カメラＢの内部電池b2と上述のようにして充電されたバッテリー27とを自動的に電気的に接続して、バッテリー27の電力をカメラＢの内部電池b2に供給する。
【００５３】
このように、本実施形態では、カメラケースA1に太陽電池パネル３を配設したので、カメラＢの使用中にカメラＢの内部電池b2の電力がなくなったとしても、同内部電池b2を充電して再びカメラＢを使用可能とすることができる。
【００５４】
特に、カメラＢを持ち運ぶための収納ケースであるカメラケースA1に太陽電池パネル３を配設したので、単なる充電器としてのカメラケースA1とは異なり、カメラＢを携帯する際にはカメラケースA1も必ず一緒に携帯されることとなるので、確実にカメラＢの内部電池b2の充電を行うことができる。
【００５５】
しかも、本実施形態では、カメラＢをカメラケースA1に収納しているときに、カメラＢとバッテリー27とを電気的に接続して、カメラＢの内部電池b2が充電されるようにしているので、カメラＢをカメラケースA1に収納して持ち運ぶ時間などを利用して効率よくカメラＢの充電を行うことができる。
【００５６】
さらに、カメラＢの内部電池b2の電力を直ぐに回復する必要があるときには、予め充電されているバッテリー電池32とカメラＢの内部電池b2とを交換してカメラＢを直ぐに使用可能とすることができる。
【００５７】
また、本実施形態では、カメラ収納用蓋体２の内部にパーソナルコンピュータ４を収納しているので、カメラＢの情報出力端子（図示せず）をパーソナルコンピュータ４の情報入力端子30に接続して、カメラＢにより撮影した映像をその場で編集することができる。しかも、パソコンが消費する電力も、前記太陽電池パネル３から供給される電力によりまかなうことができる。
【００５８】
（実施形態２）
図４には、実施形態２としてのカメラケースA2を示しており、図示するように、本実施形態では、カメラ収納用蓋体２の天壁11上に同天壁11と略同一大きさの略矩形状に形成した太陽電池パネル３を受光面3aを上方に向けた状態で載設している。
【００５９】
しかも、天壁11の前端部及び後端部に、左右幅が天壁11と同じで前後幅が天壁11の半分である略矩形板状に形成した太陽電池パネル３の基端部を枢軸40を介してそれぞれ回動自在に取り付けて、カメラ収納用蓋体２上に２枚の太陽電池パネル３を観音開き状に開閉自在に配設している。
【００６０】
また、上記観音開き状に開閉自在な２枚の太陽電池パネル３は、それぞれ表裏面の一方側をケース本体１やカメラ収納用蓋体２と同様のジュラルミン製とすると共に、他方側を太陽電池を配設した受光面3aとしており、閉じた状態のときに前記受光面3aがカメラ収納用蓋体２の外側面と対面して不使用時姿勢となり、開いた状態のときに前記受光面3aが外方へ露出して使用時姿勢となるようにしている。なお、太陽電池パネル３の開放度合は適宜調整可能としている。また、上記した以外の構成は前記実施形態１のカメラケースA1と同様なので、同一の符号を付して説明を省略する。
【００６１】
このように、本実施形態では、ケース壁であるカメラ収納用蓋体２の天壁11上に太陽電池パネル３を載設すると共に、天壁11の前端部及び後端部にそれぞれ太陽電池パネル３を回動自在に取り付けて、それら３枚の太陽電池パネル３のうち、開閉自在な２枚の太陽電池パネル３を開閉することにより、太陽電池パネル３を不使用時姿勢から使用時姿勢へと簡単に姿勢変更できるようにしたので、太陽電池パネル３を使用しないときには、同太陽電池パネル３を閉じるだけで簡単に受光面3aが外方に露出するのを防止することができ、受光面3aが磨耗したり損傷したりするのを防止することができる。
【００６２】
しかも、開閉自在な２枚の太陽電池パネル３は、不使用時姿勢においては受光面3aの反対側となるジュラルミンにより形成された面のみが外方に露出するので、太陽電池パネル３を目立たないようにすることができ、カメラケースA2の外観を良好なものとすることができる。
【００６３】
また、本実施形態では、カメラケースA2の内部空間S1,S2を狭めることなく太陽電池パネル３を配設することができるので、カメラＢの収納ケースとしての機能を阻害することなく、バッテリー27やカメラＢの内部電池b2の充電機能を付加することができる。しかも、簡単な操作で太陽電池パネル３の受光面3aを露出させることができるので、充電を行う際には直ぐに充電を開始することができる。
【００６４】
（実施形態３）
図５には、実施形態３としてのカメラケースA3を示しており、図示するように、本実施形態では、ケース本体１の本体前後壁６,７及び本体左右壁８,９の下端部に、各壁６,７,８,９と略同一大きさの略矩形板状に形成した太陽電池パネル３の基端部を枢軸（図示せず）を介してそれぞれ回動自在に取り付けて、ケース本体１の本体前後壁６,７及び本体左右壁８,９にそれぞれ１枚ずつ太陽電池パネル３を開閉可能に配設している。
【００６５】
しかも、太陽電池パネル３は、表裏面の一方側をケース本体１やカメラ収納用蓋体２と同様のジュラルミン製とすると共に、他方側を太陽電池を配設した受光面3aとしており、閉じた状態のときに前記受光面3aがケース本体１の外側面と対面して不使用時姿勢となり、開いた状態のときに前記受光面3aが外方へ露出して使用時姿勢となるようにしている。なお、太陽電池パネル３の開放度合は適宜調整可能としている。
【００６６】
また、ケース本体１の本体前後壁６,７及び本体左右壁８,９の表面には、太陽光を反射可能な鏡体39を貼設している。なお、上記した以外の構成は前記実施形態１のカメラケースA1と同様なので、同一の符号を付して説明を省略する。
【００６７】
このように、本実施形態では、ケース壁となるケース本体１の本体前後壁６,７及び本体左右壁８,９の下端部にそれぞれ太陽電池パネル３を回動自在に取り付けて、各太陽電池パネル３を開閉することにより太陽電池パネル３を不使用時姿勢から使用時姿勢へと簡単に姿勢変更できるようにしたので、太陽電池パネル３を使用しないときには、同太陽電池パネル３を閉じるだけで簡単に受光面3aが外方に露出するのを防止することができ、受光面3aが磨耗したり損傷したりするのを防止することができる。
【００６８】
しかも、太陽電池パネル３は、不使用時姿勢においては受光面3aの反対側となるジュラルミンにより形成された面のみが外方に露出するので、太陽電池パネル３を目立たないようにすることができ、カメラケースA3の外観を良好なものとすることができる。
【００６９】
また、本実施形態では、カメラケースA3の内部空間S1,S2を狭めることなく太陽電池パネル３を配設することができるので、カメラＢの収納ケースとしての機能を阻害することなく、バッテリー27やカメラＢの内部電池b2の充電機能を付加することができる。しかも、簡単な操作で太陽電池パネル３の受光面3aを露出させることができるので、充電を行う際には直ぐに充電を開始することができる。
【００７０】
さらに、ケース本体１の本体前後壁６,７及び本体左右壁８,９の表面に鏡体39を配設したので、同鏡体39により太陽光を太陽電池パネル３の受光面3aへと反射させて、効率よく太陽光を感受することができる。
【００７１】
（実施形態４）
図６には、実施形態４としてのカメラケースA4を示しており、図示するように、本実施形態では、太陽電池パネル３は、本体後壁７と蓋体後壁13とから構成されるカメラケースA4の後壁と略同一大きさの略矩形状に形成すると共に、その表裏面の一方側がケース本体１やカメラ収納用蓋体２と同様ジュラルミン製となり、他方側が太陽電池を配設した受光面3aとなるように形成しており、前記カメラケースA4の後壁に隣接させることにより、その受光面3aが前記後壁の外側面に対面して不使用時姿勢となるようにしている。
【００７２】
しかも、カメラ収納用蓋体２の蓋体右壁15の上部前端部と、蓋体左壁14の上部後端部には、それぞれ同一長さからなる支持体38の基端部を上下、左右、前後方向に３６０度回動自在に取り付けており、このうち蓋体右壁15に取り付けた支持体38を第１支持体38a、蓋体左壁14に取り付けた支持体38を第２支持体38bとすると、第１支持体38aの先端部に前記太陽電池パネル３の上側右角部を変位自在に取り付けると共に、第２支持体38bの先端部に前記太陽電池パネル３の下側左角部を変位自在に取り付けている。
【００７３】
そして、上記２本の支持体38a,38bを介して太陽電池パネル３を変位させることにより、カメラケースA4の後壁に隣接してその受光面3aをカメラケースA4の後壁の外側面に対面させた不使用時姿勢から、カメラケースA1の上方へと引き上げられてその受光面3aが外方へと露出した使用時姿勢へと、太陽電池パネル３の姿勢を簡単に変更できるようにしている。
【００７４】
特に、支持体38a,38bの回動方向や回動角度を変えることによって太陽電池パネル３の傾斜方向や傾斜角度を変えることができるので、受光面3aが太陽光を感受するのに適した方向へ向くように、太陽電池パネル３の位置を調整することができる。
【００７５】
なお、図６においては、不使用時における太陽電池パネル３と支持体38（38a,38b）の姿勢を実線で示し、使用時における太陽電池パネル３と支持体38（38a,38b）の姿勢を一点鎖線で示している。また、上記した以外の構成は前記実施形態１のカメラケースA1と同様なので、同一の符号を付して説明を省略する。
【００７６】
このように、本実施形態では、ケース壁であるカメラ収納用蓋体２の蓋体右壁15の上部前端部と、蓋体左壁14の上部後端部とのそれぞれに支持体38を回動自在に配設して、同２本の支持体38a,38bによって太陽電池パネル３を変位させることにより、不使用時姿勢から使用時姿勢へと太陽電池パネル３の姿勢を簡単に変更できるようにしたので、太陽電池パネル３を使用しないときには、同太陽電池パネル３をカメラケースA4の後壁に隣接させて受光面3aが外方に露出するのを防止することができ、受光面3aが磨耗したり損傷したりするのを防止することができる。
【００７７】
しかも、太陽電池パネル３は、カメラケースA4の後壁に隣接させた不使用時姿勢においては受光面3aの反対側となるジュラルミンにより形成された面のみが外方に露出するので、太陽電池パネル３を目立たないようにすることができ、カメラケースA4の外観を良好なものとすることができる。
【００７８】
また、本実施形態では、カメラケースA4の内部空間S1,S2を狭めることなく太陽電池パネル３を配設することができるので、カメラＢの収納ケースとしての機能を阻害することなく、バッテリー27やカメラＢの内部電池b2の充電機能を付加することができる。
【００７９】
しかも、支持体38（38a,38b）によって太陽電池パネル３をカメラケースA4から持ち上げることができるので、効率よく太陽光を感受できる位置に太陽電池パネル３を移動させることができる。
【００８０】
特に、本実施形態では、２本の支持体38a,38bの回動方向や回動角度を変えることによって太陽電池パネル３の傾斜方向や傾斜角度も変えることができるので、一層効率よく太陽光を感受することができ、充電を円滑に行うことができる。
【図面の簡単な説明】
【００８１】
【図１】本発明に係るカメラケースの一実施形態のパネル収納用蓋体を閉じた状態における側面断面図である。
【図２】同カメラケースのパネル収納用蓋体を開いた状態における側面断面図である。
【図３】同カメラケースのパネル収納用蓋体を開いた状態における平面図である。
【図４】他の実施形態としてのカメラケースの使用状態を示す斜視図である。
【図５】他の実施形態としてのカメラケースの使用状態を示す斜視図である。
【図６】他の実施形態としてのカメラケースの使用状態を示す斜視図である。
【符号の説明】
【００８２】
A1  カメラケース
A2  カメラケース
A3  カメラケース
A4  カメラケース
Ｂ  カメラ
b2  内部電池
１  ケース本体
２  カメラ収納用蓋体
３  太陽電池パネル
3a  受光面
４  パーソナルコンピュータ
５  底壁
６  本体前壁
７  本体後壁
８  本体左壁
９  本体右壁
10  充電用ソケット
11  天壁
12  蓋体前壁
13  蓋体後壁
14  蓋体左壁
15  蓋体右壁
16  枢軸
18  枢軸
19  パネル収納用蓋体
27  バッテリー
38  支持体
38a 第１支持体
38b 第２支持体
【図１】
2005025108.tif 000003
【図２】
2005025108.tif 000004
【図３】
2005025108.tif 000005
【図４】
2005025108.tif 000006
【図５】
2005025108.tif 000007
【図６】
2005025108.tif 000008